(57)【要約】【課題】移動加入者端末機に周辺基地局情報を周期的に放送するサービング基地局が存在する広帯域無線接続通信システムで、サービング基地局で周期的に放送する周辺基地局情報の公表メッセージの構成方法及びこれを用いる通信方法を提供する。【解決手段】本発明は、広帯域無線接続通信システムにおける周辺基地局情報を用いる通信方法であって、サービング基地局は周辺基地局に関する情報を収集する段階と、収集情報を通じて異種通信システムの存在有無を判断する段階と、その結果に対応して異種通信システムが存在する場合に、周辺基地局情報公表メッセージに異種通信システムに関する情報を含む段階と、移動加入者端末機に前記周辺基地局情報公表メッセージを放送する段階と、加入者端末機は、サービング基地局から前記周辺基地局情報公表メッセージを受信すると、メッセージを通じて異種システムの存在有無を識別する段階と、を有する。【選択図】図６
2006135991.tif 000002
【特許請求の範囲】
【請求項１】
広帯域無線接続通信システムにおける周辺基地局情報を用いる通信方法であって、
サービング基地局は周辺基地局に関する情報を収集する段階と、
前記収集情報を通じて異種通信システムの存在有無を判断する段階と、
前記結果に対応して異種通信システムが存在する場合に、周辺基地局情報公表メッセージに前記異種通信システムに関する情報を含む段階と、
移動加入者端末機に前記周辺基地局情報公表メッセージを放送する段階と、
前記加入者端末機は、前記サービング基地局から前記周辺基地局情報公表メッセージを受信すると、前記メッセージを通じて異種システムの存在有無を識別する段階と、
に、
を有することを特徴とする周辺基地局情報を用いる通信方法。
【請求項２】
前記移動加入者端末機は、前記異種システムが存在することを認知すると、必要に応じて前記異種システムに接続する段階を有することを特徴とする請求項１記載の周辺基地局情報を用いる通信方法。
【請求項３】
前記異種通信システムに関する情報は、前記移動加入者端末機が接続されたシステムに前記異種通信システムの存在有無を示す情報であって、前記周辺基地局情報公表メッセージに所定のフィールドで構成されることを特徴とする請求項１記載の周辺基地局情報を用いる通信方法。
【請求項４】
前記所定のフィールドは、前記周辺基地局情報公表メッセージに異種通信システムの存在有無を示す所定のビットが割り当てられたＨＥＴ_ＮＢＲ_ＩＮＦＯ(Ｈｅｔｅｒｏｇｅｎｅｏｕｓ  Ｎｅｉｇｈｂｏｒ  Ｉｎｆｏｒｍａｔｉｏｎ)フィールドを含むことを特徴とする請求項３記載の周辺基地局情報を用いる通信方法。
【請求項５】
前記所定のフィールドは、検索される異種通信システムの数に対応するビットを割り当てて異種通信システムに関する情報を示すことを特徴とする請求項３記載の周辺基地局情報を用いる通信方法。
【請求項６】
前記ＨＥＴ_ＮＢＲ_ＩＮＦＯは、該当セル領域内に前記移動加入者端末機が接続可能な異種通信システムが存在することを示すビット値と、該当セル領域内に存在しないことを示すビット値と、を含むことを特徴とする請求項３記載の周辺基地局情報を用いる通信方法。
【請求項７】
前記周辺基地局情報公表メッセージは、各異種通信システムに対する存在有無を示すフィールドと、該当異種通信システムを識別するためのフィールドと、を含むことを特徴とする請求項１記載の周辺基地局情報を用いる通信方法。
【請求項８】
広帯域無線接続通信システムで、移動加入者端末機に周期的に放送する周辺基地局情報公表メッセージの構成方法であって、
サービング基地局は周辺基地局に関する情報を収集する段階と、
前記周辺基地局情報の中に異種基地局が存在するか否かを確認する段階と、
前記確認結果に対応して異種基地局に対する存在有無を示す識別情報を所定フィールドに割り当てる段階と、
を有することを特徴とする周辺基地局情報の公表メッセージ構成方法。
【請求項９】
前記異種基地局に関する情報を前記周辺基地局情報公表メッセージに含めない場合に、同種周辺基地局に関する情報のみを含んで前記周辺基地局情報の公表メッセージを構成することを特徴とする請求項８記載の周辺基地局情報の公表メッセージ構成方法。
【請求項１０】
前記異種基地局に対する存在有無を示す所定フィールドは、前記周辺基地局情報の公表メッセージに割り当てられ、異種基地局の存在有無を示す所定のビットで構成されるＨＥＴ_ＮＢＲ_ＩＮＦＯフィールドを含むことを特徴とする請求項８記載の周辺基地局情報の公表メッセージ構成方法。
【請求項１１】
前記所定のビットのうち、検索される異種基地局の数に対応するビットを割り当てて異種基地局に関する情報を示すことを特徴とする請求項１０記載の周辺基地局情報の公表メッセージ構成方法。
【請求項１２】
前記周辺基地局情報の公表メッセージは、前記異種基地局の中で該当移動加入者端末機が接続可能な異種基地局を識別するための所定フィールドを含むことを特徴とする請求項８記載の周辺基地局情報の公表メッセージ構成方法。
【請求項１３】
前記異種基地局に対する存在有無を示す識別情報を含む所定フィールドに使用されるビットは、相互に異なる各異種基地局を区別し、前記各異種基地局に対応する異種基地局の情報フィールドを含むか否かを示すそれぞれのビットで構成されることを特徴とする請求項８記載の周辺基地局情報の公表メッセージ構成方法。
【請求項１４】
前記移動基地局に対する存在有無を示す識別情報は、該当セル領域内に前記移動加入者端末機が接続可能な異種基地局が存在することを示すビット値と、該当セル領域内に存在しないことを示すビット値と、を含むことを特徴とする請求項８記載の周辺基地局情報の公表メッセージ構成方法。
【請求項１５】
前記周辺基地局情報の公表メッセージを構成する段階は、
前記サービング基地局が前記周辺基地局情報の公表メッセージに異種基地局情報を含める場合に、異種基地局の存在有無を確認する段階と、
前記サービング基地局の該当セル内に少なくとも一つ以上の異種基地局が存在すると、前記異種基地局の情報を判断する段階と、
前記判断された異種基地局の情報に対応して前記所定フィールドのビットを前記異種基地局の数に対応して設定する段階と、
前記少なくとも一つ以上の異種基地局の中で、前記移動加入者端末機が接続可能な少なくとも一つ以上の接続識別子を前記周辺基地局情報の公表メッセージ内に挿入する段階と、
を有することを特徴とする請求項８記載の周辺基地局情報の公表メッセージ構成方法。
【請求項１６】
前記周辺基地局情報の公表メッセージを構成する段階は、
前記サービング 基地局が、前記周辺基地局情報の公表メッセージに異種基地局情報を含める場合に、無線ＬＡＮアクセスポイントの存在有無を確認する段階と、
前記サービング基地局の該当セル内に少なくとも一つ以上の無線ＬＡＮアクセスポイントが存在すると、前記所定フィールドのビットを‘０’に設定する段階と、
前記少なくとも一つ以上の無線ＬＡＮアクセスポイントの中で、前記移動加入者端末機が接続可能な該当無線ＬＡＮアクセスポイントの識別子を前記周辺基地局情報の公表メッセージ内に挿入する段階と、
を有することを特徴とする請求項８記載の周辺基地局情報の公表メッセージ構成方法。
【請求項１７】
前記移動加入者端末機が接続可能な無線ＬＡＮアクセスポイントの識別子は、ＥＳＳ  ＩＤ（Ｅｘｔｅｎｄｅｄ Ｓｅｒｖｉｃｅ Ｓｅｔ）フィールドに割り当てられることを特徴とする請求項１６記載の周辺基地局情報の公表メッセージ構成方法。
【請求項１８】
前記周辺基地局情報の公表メッセージを構成する段階は、
前記サービング基地局が、前記周辺基地局情報の公表メッセージに異種基地局情報を含める場合にセルラーネットワーク基地局の存在有無を確認する段階と、
前記サービング基地局の該当セル内に少なくとも一つ以上のセルラーネットワーク基地局が存在すると、前記所定フィールドのビットを‘１’に設定する段階と、
前記少なくとも一つ以上のセルラーネットワーク基地局の中で、前記移動加入者端末機がサービス連動可能な該当セルラーネットワーク基地局の識別子を前記周辺基地局情報の公表メッセージ内に挿入する段階と、
を有することを特徴とする請求項８記載の周辺基地局情報の公表メッセージ構成方法。
【請求項１９】
前記移動加入者端末機がサービス連動可能なセルラーネットワーク基地局の識別子は、ＢＳ-ＩＤフィールドに割り当てられることを特徴とする請求項１８記載の周辺基地局情報の公表メッセージ構成方法。
【請求項２０】
異種通信システムを含む広帯域無線接続通信システムにおける周辺基地局情報の公表メッセージ送受信による通信システムであって、
周辺基地局に関する情報を収集し、前記周辺基地局の中に異種基地局が存在するか否かを確認し、前記確認結果に対応して異種基地局に対する存在有無を示す識別情報を所定フィールドに割り当てて前記周辺基地局情報の公表メッセージを構成し、前記所定フィールドが追加された前記周辺基地局情報の公表メッセージを放送する基地局と、
前記基地局から周辺基地局情報の公表メッセージを受信すると、前記周辺基地局情報の公表メッセージに含まれた異種基地局に対する情報フィールドを確認し、前記異種基地局に対する情報フィールドに設定された値により前記基地局のセル内に接続可能な異種基地局の存在有無を確認し、前記確認結果に対応して自機の電力制御又は前記異種基地局に接続する移動加入者端末機と、
を含むことを特徴とする周辺基地局情報の公表メッセージを用いる送受信システム。
【請求項２１】
前記サービング基地局は、前記異種基地局情報を周辺基地局放送情報メッセージに含めない場合に、同一の周辺基地局情報のみを含んで前記周辺基地局情報の公表メッセージを構成することを特徴とする請求項２０記載の周辺基地局情報の公表メッセージを用いる送受信システム。
【請求項２２】
前記サービング基地局は、前記異種基地局に対する存在有無を示す情報フィールドを前記周辺基地局情報の公表メッセージに割り当て、前記異種基地局の存在有無を示す所定のビットが割り当てられたＨＥＴ_ＮＢＲ_ＩＮＦＯ(Ｈｅｔｅｒｏｇｅｎｅｏｕｓ Ｎｅｉｇｈｂｏｒ Ｉｎｆｏｒｍａｔｉｏｎ)フィールドを追加して前記周辺基地局情報の公表メッセージを構成することを特徴とする請求項２０記載の周辺基地局情報の公表メッセージを用いる送受信システム。
【請求項２３】
前記サービング基地局は、前記所定ビットの中で検索される異種基地局の数に対応するビットを割り当てて異種基地局に関する情報を示すことを特徴とする請求項２０記載の周辺基地局情報の公表メッセージを用いる送受信システム。
【請求項２４】
前記サービング基地局は、前記周辺基地局情報の公表メッセージに前記異種基地局の中で該当移動加入者端末機が接続可能な異種基地局を識別するための所定フィールドを追加して構成することを特徴とする請求項２０記載の周辺基地局情報の公表メッセージを用いる送受信システム。
【請求項２５】
前記サービング基地局は、前記移動基地局に対する存在有無を示す識別情報を該当セル領域内に前記移動加入者端末機が接続可能な異種基地局が存在することを示すビット値と、該当セル領域内に存在しないことを示すビット値として割り当てることを特徴とする請求項２０記載の周辺基地局情報の公表メッセージを用いる送受信システム。
【請求項２６】
前記サービング基地局は、自機の該当セル内に少なくとも一つ以上の異種基地局が存在すると、前記所定フィールドのビットを前記異種基地局の数に対応して設定し、前記少なくとも一つ以上の異種基地局の中で前記移動加入者端末機が接続可能な少なくとも一つ以上の接続識別子を前記周辺基地局情報の公表メッセージ内に挿入して前記周辺基地局情報の公表メッセージを構成することを特徴とする請求項２０記載の周辺基地局情報の公表メッセージを用いる送受信システム。
【請求項２７】
前記サービング基地局は、自機の該当セル内に少なくとも一つ以上の無線ＬＡＮアクセスポイントが存在すると、前記所定フィールドのビットを‘０’に設定し、前記少なくとも一つ以上の無線ＬＡＮアクセスポイントの中で、前記移動加入者端末機が接続可能な該当無線ＬＡＮアクセスポイントの識別子を前記周辺基地局情報の公表メッセージ内に挿入して前記周辺基地局情報の公表メッセージを構成して放送することを特徴とする請求項２０記載の周辺基地局情報の公表メッセージを用いる送受信システム。
【請求項２８】
前記サービング基地局は、前記移動加入者端末機が接続可能な無線ＬＡＮアクセスポイントの識別子としてＥＳＳ(Ｅｘｔｅｎｄｅｄ Ｓｅｒｖｉｃｅ Ｓｅｔ)  ＩＤを割り当てることを特徴とする請求項２０記載の周辺基地局情報の公表メッセージを用いる送受信システム。
【請求項２９】
前記サービング基地局は、自機の該当セル内に少なくとも一つ以上のセルラーネットワーク基地局が存在すると、前記所定フィールドのビットを‘１’に設定し、前記少なくとも一つ以上のセルラーネットワーク基地局の中で前記移動加入者端末機がサービス連動可能な該当セルラーネットワーク基地局の識別子を前記周辺基地局情報の公表メッセージ内に挿入して前記周辺基地局情報の公表メッセージを構成して放送することを特徴とする請求項２０記載の周辺基地局情報の公表メッセージを用いる送受信システム。
【請求項３０】
前記サービング基地局は、前記移動加入者端末機が接続可能なセルラーネットワーク基地局の識別子としてＢＳ-ＩＤを割り当てることを特徴とする請求項２０記載の周辺基地局情報の公表メッセージを用いる送受信システム。
【請求項３１】
周辺基地局情報を周期的に放送するサービング基地局と相互に異なる種類の異種ネットワークが存在する通信システムで、移動加入者端末機が前記異種ネットワークとの通信を遂行する方法であって、
前記移動加入者端末機は、前記サービング基地局から周辺基地局情報の公表メッセージを受信すると、前記周辺基地局情報の公表メッセージに含まれた異種基地局に対する情報フィールドを確認する段階と、
前記異種基地局に対する情報フィールドの設定値に対応して前記サービング基地局のセル内に接続可能な異種基地局の存在有無に対応する動作を遂行する段階と、
を有することを特徴とする異種ネットワークとの通信遂行方法。
【請求項３２】
前記異種基地局に対する情報フィールドのビットが‘１’に設定された場合に、前記サービング基地局のセル内に接続可能な異種基地局が存在しないことを認知し、前記異種基地局との接続のための機能をオフとすることを特徴とする請求項３１記載の異種ネットワークとの通信遂行方法。
【請求項３３】
前記異種基地局に対する情報フィールドのビットが‘０’に設定された場合に、前記サービング基地局のセル内に接続可能な異種基地局が存在することを認知し、前記異種基地局への通信を遂行することを特徴とする請求項３１記載の異種ネットワークとの通信遂行方法。
【発明の詳細な説明】
【技術分野】
【０００１】
本発明は、広帯域無線接続通信システムに関するもので、特に、移動加入者端末機に周辺基地局情報を周期的に放送するサービング基地局が存在する広帯域無線接続通信システムで、サービング基地局で周期的に放送する周辺基地局情報メッセージの構成及びこれを用いる通信方法に関するものである。
【背景技術】
【０００２】
一般的に、次世代通信システムである第４世代(４ｔｈ  Ｇｅｎｅｒａｔｉｏｎ：以下、“４Ｇ”とする)通信システムでは、約１００Ｍｂｐｓの伝送速度を有する多様なサービス品質(Ｑｕａｌｉｔｙ  ｏｆ  Ｓｅｒｖｉｃｅ：以下、“ＱｏＳ”とする）をユーザーに提供するための活発な研究が進んでいる。特に、現在の４Ｇ通信システムでは、無線近距離通信ネットワーク(Ｌｏｃａｌ  Ａｒｅａ  Ｎｅｔｗｏｒｋ：以下、“ＬＡＮ”とする)システム及び無線都市規模ネットワーク(Ｍｅｔｒｏｐｏｌｉｔａｎ  Ａｒｅａ  Ｎｅｔｗｏｒｋ：以下、“ＭＡＮ”とする)システムのような広帯域無線接続(Ｂｒｏａｄｂａｎｄ  Ｗｉｒｅｌｅｓｓ  Ａｃｃｅｓｓ：ＢＷＡ)通信システムに、移動性(ｍｏｂｉｌｉｔｙ)とＱｏＳを保証する形態に高速サービスを支援する研究が活発に進行されている。その代表的な通信システムが、ＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)８０２．１６ａの通信システム及びＩＥＥＥ８０２．１６ｅの通信システムである。 
【０００３】
ＩＥＥＥ８０２．１６ａの通信システム及びＩＥＥＥ８０２．１６ｅの通信システムは、無線ＭＡＮシステムの物理チャンネル(ｐｈｙｓｉｃａｌ  ｃｈａｎｎｅｌ)に広帯域伝送ネットワークを支援するために、直交周波数分割多重化(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、“ＯＦＤＭ”とする)/直交周波数分割多重接続(Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：以下、“ＯＦＤＭＡ”とする)方式を適用した通信システムである。ＩＥＥＥ８０２．１６ａ方式の通信システムは、現在加入者端末機(Ｓｕｂｓｃｒｉｂｅｒ  Ｓｔａｔｉｏｎ：ＳＳ)が固定された状態、すなわち加入者端末機の移動性を全く考慮しない状態及び単一セル構造のみを考慮したシステムである。これに対して、ＩＥＥＥ８０２．１６ｅ方式の通信システムは、ＩＥＥＥ８０２．１６ａ方式の通信システムの加入者端末機の移動性を考慮するシステムである。以下に、移動性を有する加入者端末機は、移動加入者端末機(Ｍｏｂｉｌｅ  Ｓｕｂｓｃｒｉｂｅｒ  Ｓｔａｔｉｏｎ：ＭＳＳ)と称する。
【０００４】
図１は、一般的なＩＥＥＥ８０２．１６ｅ方式の通信システムの構造を概略的に示す図である。
【０００５】
図１を参照すると、ＩＥＥＥ８０２．１６ｅ方式の通信システムは、多重セル構造、例えば、第１のセル１００、第２のセル１５０、第３のセル１７０、及び第４のセル１８０を有する。この通信システムは、第１のセル１００を管理する第１の基地局１１０と、第２のセル１５０を管理する第２の基地局１４０と、第３のセル１７０を管理する第３の基地局１７２と、第４のセル１８０を管理する第４の基地局１８２と、複数の移動加入者端末機１１１，１１３，１３０，１５１，１５３，１７４，１７６，１８４と、を含んで構成される。そして、第１〜第４の基地局１１０，１４０，１７２，１８２と、複数の移動加入者端末機１１１，１１３，１３０，１５１，１５３，１７４，１７６，１８４との間の信号送受信は、ＯＦＤＭ/ＯＦＤＭＡ方式を使用して遂行される。 
【０００６】
これら移動加入者端末機１１１，１１３，１３０，１５１，１５３，１７４，１７６，１８４のうち、移動加入者端末機１３０は、第１のセル１００と第２のセル１５０の境界地域、すなわちハンドオフ(ｈａｎｄｏｆｆ)領域に存在する。したがって、移動加入者端末機１３０に対するハンドオフを支援しなければ、移動加入者端末機１３０に対する移動性を支援することが不可能になる。 
【０００７】
上記の場合に、移動加入者端末機１３０は、第１のセル１００に位置して第１の基地局１１０と接続設定をし、通信の遂行途中で第２のセル１５０に移動して第２の基地局１４０と通信するためにハンドオフを遂行すべきである。このとき、第１の基地局１１０と通信の際に設定した物理階層とＭＡＣ階層の接続設定の内容は、第２の基地局１４０と通信するときに有効でなくなる。したがって、移動加入者端末機１３０が第１のセル１００から第２のセル１５０に移動する場合に、移動加入者端末機１３０は、第１の基地局１１０と遂行した最初の接続設定の手順と同様に、第２のセル１５０の第２の基地局１４０と再び接続設定のための再進入手順を遂行すべきである。 
【０００８】
一方、ＩＥＥＥ８０２．１６ｅ方式の通信システムにおいて、所定の移動加入者端末機は複数の基地局から送信されるパイロット信号を受信する。このとき、移動加入者端末機は、受信されたパイロット信号の搬送波対干渉雑音比(Ｃａｒｒｉｅｒ  ｔｏ  Ｉｎｔｅｒｆｅｒｅｎｃｅ  ａｎｄ  Ｎｏｉｓｅ  Ｒａｔｉｏ：以下、“ＣＩＮＲ”とする)を測定する。移動加入者端末機は、測定された複数個のパイロット信号に対するＣＩＮＲの中で、最も大きなＣＩＮＲを有するパイロット信号を送信した基地局を、自機が現在属している基地局、すなわちサービング基地局(ｓｅｒｖｉｎｇ  ＢＳ）として選択する。すなわち、移動加入者端末機は、パイロット信号を送信する複数の基地局のうち、移動加入者端末機が一番良好に受信できるパイロット信号を送信する基地局を、自機が属する基地局として認識するようになる。 
【０００９】
その結果、移動加入者端末が現在属している基地局はサービング基地局となり、以後、サービング基地局を選択した移動加入者端末機は、サービング基地局から送信するダウンリンクフレーム及びアップリンクフレームを受信してデータを送受信する。 
【００１０】
上記のように、移動加入者端末機は自機が位置したセルを管理する基地局と通信することにおいて、移動加入者端末機が現在位置しているセル内で他のセルに位置を移動することによって、移動したセルを管理する他の基地局に接続される。このように、移動加入者端末機の位置移動により移動加入者端末機と接続される基地局も変更される。このとき、基地局が変更される度に該当基地局で使用する接続設定情報が相互に相異なるため、これに対する設定を異にしなければならない。 
【００１１】
しかしながら、移動加入者端末機が接続する基地局を変更する度に新たな接続設定をすると、接続する度に新たな接続を試みるようになる。したがって、移動加入者端末機がその位置を移動しながら基地局からサービスの提供を受ける場合、例えば一つの基地局とデータの送受信中に位置を移動して基地局を変更するようになる場合に、新たな接続を設定すべき場合に、現在送受信中であるデータサービスは断絶し、再び始めからサービスを提供すべきであるという問題点が発生する。
【００１２】
上記のような移動加入者端末機の移動による新たな基地局との接続設定を容易にするために、現在の広帯域無線接続通信システムにおいて、現在接続されている基地局は、移動加入者端末機が移動して新たに接続する可能性のある隣接した周辺基地局に関する情報を周辺基地局情報の公表メッセージを通じて移動加入者端末機に提供する。
【００１３】
したがって、この移動加入者端末機が隣接セルに移動及びハンドオフするためには、まず隣接セルの情報、すなわち隣接基地局(Ｎｅｉｇｈｂｏｒ  ｂａｓｅ  ｓｔａｔｉｏｎ)の情報を認知しているべきである。したがって、移動加入者端末機は、現在サービスが提供されているサービング基地局から周期的な放送メッセージを受信して隣接基地局の情報を収集する。。
【００１４】
一般的に、周辺基地局情報の公表メッセージを‘Ｍｏｂｉｌｅ_Ｎｅｉｇｈｂｏｒ_Ａｄｖｅｒｔｉｓｅｍｅｎｔメッセージ’とし、以下では‘ＭＯＢ_ＮＢＲ_ＡＤＶメッセージ’と称する。
【００１５】
図２Ａ及び図２Ｂは、一般的なＭＯＢ_ＮＢＲ_ＡＤＶメッセージ構造を示す図である。
【００１６】
図２Ａ及び図２Ｂに示すように、ＭＯＢ_ＮＢＲ_ＡＤＶメッセージは、複数の情報エレメント(Ｉｎｆｏｒｍａｔｉｏｎ  Ｅｌｅｍｅｎｔ：以下、‘ＩＥ’とする)を含む。これら複数の情報エレメントは、次のようである。
【００１７】
−‘Ｍａｎａｇｅｍｅｎｔ  Ｍｅｓｓａｇｅ  Ｔｙｐｅ’：送信されるメッセージのタイプを示す。
−‘Ｃｏｎｆｉｇｕｒａｔｉｏｎ  Ｃｈａｎｇｅ  Ｃｏｕｎｔ’：構成(ｃｏｎｆｉｇｕｒａｔｉｏｎ）が変更される度に１ずつ増加して該当するメッセージの変更可否を示す。
−‘Ｆｒａｇｍｅｎｔａｔｉｏｎ  Ｉｎｄｅｘ’：ＭＯＢ_ＮＢＲ_ＡＤＶメッセージを分割して数回分けて送信する場合に、該当メッセージが何番目のメッセージであるかを示す。
−‘Ｔｏｔａｌ  Ｆｒａｇｍｅｎｔａｔｉｏｎ’：フラグメンテーション(Ｆｒａｇｍｅｎｔａｔｉｏｎ)のようにメッセージが分割された場合に、分割されたメッセージの総個数を示す。
−‘Ｓｋｉｐ-Ｏｐｔｉｏｎａｌ-Ｆｉｅｌｄｓ’：メッセージ内の基地局識別子(Ｂａｓｅ  Ｓｔａｔｉｏｎ  Ｉｄｅｎｔｉｆｉｅｒ：ＢＳ-ＩＤ)が省略された場合に、これを示す。
−‘Ｎ_ＮＥＩＧＨＢＯＲＳ’：現在メッセージ内に幾つの周辺基地局情報を含んでいるか該当する周辺基地局の個数を示す。
−‘Ｌｅｎｇｔｈ’：ディスプレーされた一つの基地局情報フィールドの長さを示す。
−‘ＰＨＹ  Ｐｒｏｆｉｌｅ  ＩＤ’：該当基地局に使用される無線チャンネルの情報識別子を示す。
−‘ＦＡ  Ｉｎｄｅｘ’：該当基地局の割当周波数を示す固有識別子を示す。
−‘ＢＳ  ＥＩＲＰ(Ｅｆｆｅｃｔｉｖｅ  Ｉｓｏｔｒｏｐｉｃ  Ｒａｄｉａｔｅｄ  Ｐｏｗｅｒ)’：該当周辺基地局の送信電力の強さを示す。
−‘Ｎｅｉｇｈｂｏｒ  ＢＳ-ＩＤ’：周辺基地局の識別子を示す。
−‘Ｐｒｅａｍｂｌｅ  Ｉｎｄｅｘ’：該当基地局の該当セクターで使用するプリアンブルの識別子を示す。
−‘ＨＯ  Ｐｒｏｃｅｓｓ  Ｏｐｔｉｍｉｚａｔｉｏｎ’：該当基地局にハンドオフするときに必ず経るべき手順と省略可能な手順を区分して情報を示す。
−‘Ｓｃｈｅｄｕｌｉｎｇ  Ｓｅｒｖｉｃｅ  Ｓｕｐｐｏｒｔｅｄ’：基地局間の予め定義した多用なＱｏＳ種類に対して該当基地局が支援可能なＱｏＳ種類を示す。
‘Ａｖａｉｌａｂｌｅ  Ｒａｄｉｏ  Ｒｅｓｏｕｒｃｅ’：該当基地局の無線チャンネルリソースの可用性を示す。
−‘Ｈａｎｄｏｆｆ  Ｎｅｉｇｈｂｏｒ  Ｐｒｅｆｅｒｅｎｃｅ’：基地局が移動加入者端末機で該当周辺基地局にハンドオフするように選好度を示す。
−‘ＤＣＤ  Ｃｏｎｆｉｇｕｒａｔｉｏｎ  Ｃｈａｎｇｅ  Ｃｏｕｎｔ’：該当周辺基地局のダウンリンクチャンネルデスクリプト(Ｄｏｗｎｌｉｎｋ  Ｃｈａｎｎｅｌ  Ｄｅｓｃｒｉｐｔ：以下、“ＤＣＤ”とする)情報の一連番号を知らせる。
−‘ＵＣＤ  Ｃｏｎｆｉｇｕｒａｔｉｏｎ  Ｃｈａｎｇｅ  Ｃｏｕｎｔ’：該当周辺基地局のアップリンクチャンネルデスクリプト(Ｕｐｌｉｎｋ  Ｃｈａｎｎｅｌ  Ｄｅｓｃｒｉｐｔ：以下、“ＵＣＤ”とする)情報の一連番号を知らせる。
−‘ＴＬＶ  Ｅｎｃｏｄｅｄ  Ｎｅｉｇｈｂｏｒ  Ｉｎｆｏｒｍａｔｉｏｎ’
これら情報以外に周辺基地局と関連したその他の情報を示す。 
【００１８】
上記したように、サービング基地局は、該当セル領域内の周辺基地局の情報を収集してＭＯＢ_ＮＢＲ_ＡＤＶメッセージを構成し、周期的に移動加入者端末機に放送する。サービング基地局から周期的に放送されるＭＯＢ_ＮＢＲ_ＡＤＶメッセージを受信した移動加入者端末機は、ＭＯＢ_ＮＢＲ_ＡＤＶメッセージ内のそれぞれのフィールドにロードされる情報を通じて周辺基地局の信号強さを測定するためのスキャニング(ｓｃａｎｎｉｎｇ)情報が得られる。すなわち、移動加入者端末機はＮｅｉｇｈｂｏｒ  ＢＳ-ＩＤ情報を用いて周辺基地局が識別でき、それぞれの周辺基地局を物理周波数フィールドを通じてスキャニングに必要な物理周波数帯域検索情報を認知するようになる。 
【００１９】
上記のように、サービング基地局は、管理する該当セル領域内の移動加入者端末機にＭＯＢ_ＮＢＲ_ＡＤＶメッセージ放送を通じて、移動加入者端末機が現在接続されていないと、位置移動時に新たに接続可能な周辺の基地局情報を提供することによって、移動加入者端末機がセルの移動時に迅速に新たな接続設定を遂行し、円滑なハンドオフが可能にする。
【００２０】
しかしながら、上記のような従来のＭＯＢ_ＮＢＲ_ＡＤＶメッセージは、同一のシステム内の同じ種類の周辺基地局情報のみをＭＯＢ_ＮＢＲ_ＡＤＶメッセージ内に含んで伝送する。したがって、移動加入者端末機が広帯域無線接続システム以外の無線ＬＡＮ(Ｗｉｒｅｌｅｓｓ  ＬＡＮ：ＷＬＡＮ)システムや第３世代(３ｒｄ  Ｇｅｎｅｒａｔｉｏｎ：３Ｇ)移動通信システムなどを有する場合に、広帯域無線接続システムに対する情報以外には他の異種ネットワーク、すなわち、無線ＬＡＮシステム及び第３世代移動通信システムに対する情報は全く提供されないようになる。次に、これについて、図３を参照して説明する。
【００２１】
図３は、一般的な広帯域無線接続通信システムと相互に異なる種類の異種ネットワークが共存するネットワーク構成を概略的に示す図である。
【００２２】
図３の説明に先立って、上記した図１とは異なって図３による広帯域無線接続網には参照番号２０４，２０８，２１２に対応する３個の無線ＬＡＮアクセスポイント(Ａｃｃｅｓｓ  Ｐｏｉｎｔ：ＡＰ）が存在し、これに位置した移動加入者端末機２０２，２０６，２１０は、広帯域無線接続網基地局２００のセル領域内に存在すると同時に、無線ＬＡＮ領域に存在するようになる。 
【００２３】
図３のように、移動加入者端末機２０６が異種無線装置を同時に有している場合、例えば、デュアルモードを支援する移動加入者端末機である場合には、広帯域無線接続基地局２００と通信中にも無線ＬＡＮアクセスポイント２０８を検索して接続するのに問題がない。 
【００２４】
しかしながら、図１のように無線ＬＡＮが存在しないセル領域に位置した移動加入者端末機がデュアルモードを支援する場合には、継続して無線ＬＡＮアクセスポイントを検索しても無線ＬＡＮアクセスポイントが存在しないことにより、いかなる接続設定もできない。このとき、移動加入者端末機のＭＯＢ_ＮＢＲ_ＡＤＶメッセージを通じて周辺基地局の情報を受信するようになる。しかしながら、情報は、同一の広帯域無線接続サービスの基地局情報のみを含み、それによって、移動加入者端末機は、異種基地局又は無線ＬＡＮアクセスポイントが存在するか否かに関する情報が提供されないようになる。 
【００２５】
また、移動加入者端末機が全く別個の装置として、ＷＬＡＮ装置や第３世代移動通信装置を用いて他の異種基地局を検索しても、該当基地局が現在通信中である広帯域無線接続基地局とハンドオフや連動が可能な網であるかがわからない。したがって、移動加入者端末機は、優先的に接続を試みて失敗或いは成功をすべて経た後にのみ現在の広帯域無線接続網との連動が可能であるか否かを分かるようになる。
【００２６】
図４は、異種ネットワークが共存する通信システムで移動加入者端末機が通信する過程を示す図である。特に、図４は、移動加入者端末機が自機内に備えられる広帯域無線接続通信装置を用いて広帯域無線接続基地局と通信する過程を示すものである。このとき、一つの移動加入者端末機３０２は、広帯域無線接続装置３２０と無線ＬＡＮ装置３１０のような他の種類の異種無線装置を同時に有すると仮定する。
【００２７】
また、図４は、移動加入者端末機３０２が優先的に移動加入者端末機３０２自機内に備えられている広帯域無線接続装置３２０を用いて広帯域無線接続基地局３３０と通信中である環境を考慮した。 
【００２８】
図４を参照すると、移動加入者端末機３０２は、広帯域無線接続基地局３３０からＭＯＢ_ＮＢＲ_ＡＤＶメッセージを参照番号３３２，３３４，３３６のように周期的に受信する。このとき、移動加入者端末機３０２は、時点３１２で周辺に無線ＬＡＮ接続が可能であるかいなかを、無線ＬＡＮ装置３１０の電源をオンにして無線ＬＡＮアクセスポイントを検索するようになる。 
【００２９】
図４に示したように、広帯域無線接続基地局以外に無線ＬＡＮ接続地点が存在しない。それにもかかわらず、移動加入者端末機３０２は、このような情報を認知しないことによって、時点３１２から継続して無線ＬＡＮ接続地点の検索を遂行する。しかしながら、無線ＬＡＮアクセスポイントが存在しないので、移動端末機は無線ＬＡＮアクセスポイントを検索できず、電源を浪費するという問題があった。
【００３０】
この場合に、移動加入者端末機が自ら判断して継続して周辺の無線ＬＡＮアクセスポイントを検索する動作を中止してから、所定時間が過ぎた後に再び検索を遂行するなどの方法が使用可能である。しかしながら、上記の場合にも移動加入者端末機が周辺に無線ＬＡＮアクセスポイントが存在しないことを認知せず、無線ＬＡＮアクセスポイントを継続して検索するため、多少の差はあるが、電源を消費し続ける。 
【００３１】
これは、移動加入者端末機３０２が、広帯域無線接続基地局３３０に接続して通信サービスの提供を受けているが、広帯域無線接続基地局３３０が上記の従来技術のように同じ種類の周辺基地局情報のみを提供するだけで、図４のように異種の接続技術情報は提供しないため、図４のような環境では基地局に何らの助けなしに移動加入者端末機が直接にこのような試行錯誤をしなければならない。
【００３２】
また、図４のような環境で移動加入者端末機３０２が周辺に検索される無線ＬＡＮアクセスポイントを検索して任意の無線ＬＡＮアクセスポイントを発見して接続を試すこともできる。しかしながら、この場合にも該当アクセスポイントが現在サービス接続中である広帯域無線接続基地局３３０とローミング又はハンドオフなどが支援されるように接続されたアクセスポイントであるか否か、すなわち、現在移動加入者端末機が接続された広帯域無線接続基地局とハンドオフや連動が可能なネットワークであるかがわからない。したがって、移動加入者端末機は、これを確認するための不要な手順を遂行するようになる。すなわち、移動加入者端末機は、まず無線ＬＡＮアクセスポイントと接続及び登録を試みた後に、すなわち、無線ＬＡＮアクセスポイントと接続を試みて失敗或いは成功をすべて遂行した後に、現在の接続中である広帯域無線接続基地局３３０から連動が可能又は不可能であるという情報を獲得可能である。したがって、最大限電力消耗を減少すべき無線移動加入者端末機の場合に、電力量が非常に制約的であるため、非常に致命的な電力リソース浪費をもたらす。 
【００３３】
したがって、この２種類以上の無線接続装置を一つの移動加入者端末機に共に含んでいるデュアルモード移動加入者端末機は、自機が持っている無線接続装置の数多くの種類の無線接続基地局情報を希望する場合があり、異種周辺基地局情報を提供することができる方法が求められる。
【発明の開示】
【発明が解決しようとする課題】
【００３４】
したがって、上述した従来技術の問題点を解決するために、本発明の目的は、第１に、移動加入者端末機に周辺基地局情報を周期的に放送するサービング基地局が存在する広帯域無線接続通信システムで、サービング基地局で周期的に放送する周辺基地局情報の公表メッセージの構成方法及びこれを用いる通信方法を提供することにある。
【００３５】
第２に、他の種類の異種基地局が共存する通信システムで、移動加入者端末機が実際に連動可能な異種システムがない地域における電力浪費を防止することができる方法を提供することにある。
【００３６】
第３に、サービング基地局で構成する周辺基地局情報の公表メッセージを新たに定義し、デュアルモード移動加入者端末機のスキャニング動作を短縮させることによって、移動加入者端末機の電力消耗を低減することができる方法を提供することにある。
【００３７】
第４に、広帯域無線接続通信システムで周辺基地局情報公表メッセージに追加する新たな情報を提供することにある。
【００３８】
第５に、広帯域無線接続通信システムで、新たに提案された周辺基地局放送メッセージを伝送することにおいて、特定のフィールドを使用して異種周辺基地局が現在移動加入者端末機のセル領域内に存在するか否かを判断することができる方法を提供することにある。
【００３９】
第６に、現在基地局のセル領域内に異種ネットワークが存在する場合に、移動加入者端末機が該当異種ネットワークにハンドオフが可能であるか否かを予め知らせるための方法を提供することにある。
【００４０】
第７に、異種周辺基地局情報をメッセージ内に含めるか否かを考慮した周辺基地局情報公表メッセージの構成方法を提供することにある。
【００４１】
第８に、広帯域無線接続通信システムで新たに提案された周辺基地局放送メッセージを伝送することにおいて、周辺或いはセル領域内に異種ネットワークの存在有無と、移動加入者端末機のローミング又はハンドオフの際にこれを支援可能であるか否かを判断する方法を提供することにある。
【課題を解決するための手段】
【００４２】
上記のような目的を達成するために、本発明は、広帯域無線接続通信システムにおける周辺基地局情報を用いる通信方法であって、サービング基地局は周辺基地局に関する情報を収集する段階と、前記収集情報を通じて異種通信システムの存在有無を判断する段階と、前記結果に対応して異種通信システムが存在する場合に、周辺基地局情報公表メッセージに前記異種通信システムに関する情報を含む段階と、移動加入者端末機に前記周辺基地局情報公表メッセージを放送する段階と、前記加入者端末機は、前記サービング基地局から前記周辺基地局情報公表メッセージを受信すると、前記メッセージを通じて異種システムの存在有無を識別する段階と、を有する。
【００４３】
本発明は、広帯域無線接続通信システムで、移動加入者端末機に周期的に放送する周辺基地局情報公表メッセージの構成方法であって、サービング基地局は周辺基地局に関する情報を収集する段階と、前記周辺基地局情報の中に異種基地局が存在するか否かを確認する段階と、前記確認結果に対応して異種基地局に対する存在有無を示す識別情報を所定フィールドに割り当てる段階と、を有する。
【００４４】
本発明は、異種通信システムを含む広帯域無線接続通信システムにおける周辺基地局情報の公表メッセージ送受信による通信システムであって、周辺基地局に関する情報を収集し、前記周辺基地局の中に異種基地局が存在するか否かを確認し、前記確認結果に対応して異種基地局に対する存在有無を示す識別情報を所定フィールドに割り当てて前記周辺基地局情報の公表メッセージを構成し、前記所定フィールドが追加された前記周辺基地局情報の公表メッセージを放送する基地局と、前記基地局から周辺基地局情報の公表メッセージを受信すると、前記周辺基地局情報の公表メッセージに含まれた異種基地局に対する情報フィールドを確認し、前記異種基地局に対する情報フィールドに設定された値により前記基地局のセル内に接続可能な異種基地局の存在有無を確認し、前記確認結果に対応して自分の電力制御又は前記異種基地局に接続する移動加入者端末機と、を含む。
【００４５】
本発明は、周辺基地局情報を周期的に放送するサービング基地局と相互に異なる種類の異種ネットワークが存在する通信システムで、移動加入者端末機が前記異種ネットワークとの通信を遂行する方法であって、前記移動加入者端末機は、前記サービング基地局から周辺基地局情報の公表メッセージを受信すると、前記周辺基地局情報の公表メッセージに含まれた異種基地局に対する情報フィールドを確認する段階と、前記異種基地局に対する情報フィールドの設定値に対応して前記サービング基地局のセル内に接続可能な異種基地局の存在有無に対応する動作を遂行する段階と、を有する。
【発明の効果】
【００４６】
本発明は、広帯域無線接続通信システムで、異種周辺基地局情報を用いる通信システム及び方法によると、基地局が周辺基地局の情報を含むＭＯＢ-ＮＢＲ_ＡＤＶメッセージを構成することにおいて、異種ネットワークに関する情報を移動加入者端末機に放送できる利点を有する。したがって、移動加入者端末機は、広帯域無線接続システム以外に異種のシステム情報を受信することによって、不必要な動作遂行による電力消耗を低減することができる効果を有する。また、異種システムに関する情報を通じて移動加入者端末機は、実際に連動可能な無線ＬＡＮ又は第３世代装置のない地域で継続してアクセスポイントを検索するための電力浪費を防止することができる利点がある。
【００４７】
また、本発明で提供される情報を用いる移動加入者端末機は、該当位置で異種接続装置を有してもＭＯＢ_ＮＢＲ_ＡＤＶメッセージを通じて異種接続網が存在する場合のみに、その必要に応じて接続を試して電力及び無線チャンネルを節約できる利点がある。また、本発明で提案するメッセージ形態を通じて移動加入者端末機のスキャニング動作を短縮させることで、移動加入者端末機の電力消耗を減少させることができる効果を有する。
【発明を実施するための最良の形態】
【００４８】
以下、本発明の望ましい実施形態を添付の図面を参照して詳細に説明する。
【００４９】
下記に、本発明に関連した公知機能又は構成に関する具体的な説明が本発明の要旨を不明にすると判断された場合に、その詳細な説明を省略する。
【００５０】
本発明は、広帯域無線接続(Ｂｒｏａｄｂａｎｄ  Ｗｉｒｅｌｅｓｓ  Ａｃｃｅｓｓ：ＢＷＡ)通信システムで、周辺基地局情報公表(Ｎｅｉｇｈｂｏｒ  Ｂａｓｅ-ｓｔａｔｉｏｎ  Ａｄｖｅｒｔｉｓｅｍｅｎｔ：以下、‘ＭＯＢ_ＮＢＲ-ＡＤＶ'とする)メッセージを新たに提案し、これによる基地局と移動加入者端末機(Ｍｏｂｉｌｅ  Ｓｕｂｓｃｒｉｂｅｒ  Ｓｔａｔｉｏｎ：ＭＳＳ)との間の通信方法を提案する。
【００５１】
また、サービング基地局が周辺基地局情報を構成して自機の該当セル領域に放送することにおいて、異種周辺基地局情報を選択的に構成して周辺基地局情報公表メッセージに含め、これを用いて移動加入者端末機が周辺基地局情報を獲得可能にする方法を提案する。
【００５２】
本発明は、下記に説明する内容に限定されず、下記の実施形態に対応して多様な他の実施形態にも適用可能である。
【００５３】
図５Ａ〜図５Ｃは、本発明の実施形態による広帯域無線接続通信システムで提案するＭＯＢ_ＮＢＲ_ＡＤＶメッセージ構造を示す図である。
【００５４】
図５Ａ〜図５Ｃの説明に先立って、本発明で提案するＭＯＢ_ＮＢＲ_ＡＤＶメッセージは、図２Ａ及び図２Ｂに示したような従来のメッセージ構造に該当セル内の異種基地局情報を示すＨＥＴ_ＮＢＲ_ＩＮＦＯ(Ｈｅｔｅｒｏｇｅｎｅｏｕｓ  Ｎｅｉｇｈｂｏｒ  Ｉｎｆｏｒｍａｔｉｏｎ)フィールドが新たに追加されたことが分かる。したがって、図２Ａ及び図２Ｂに示したメッセージと同一の部分に対しては、以下の説明で省略する。但し、本発明で提案するＨＥＴ_ＮＢＲ_ＩＮＦＯのみについて詳細に説明する。また、新たに追加されたＨＥＴ_ＮＢＲ_ＩＮＦＯフィールドは、該当サービング基地局が構成したＭＯＢ_ＮＢＲ_ＡＤＶメッセージに特定フィールドが含まれたり、含まれない場合に従ってこれを表示し、これは次のようである。
【００５５】
図５Ａ〜図５Ｃを参照すると、ＨＥＴ_ＮＢＲ_ＩＮＦＯフィールドは４ビットで構成される。本発明では、４ビットのうちの２ビットを使用して異種ネットワーク情報が含まれるか否かを示すために使用し、残りの２ビットは今後機能拡張のために追加で使用可能に予約フィールドとして使用する。しかしながら、本発明はこれに限定されることではなく、４ビット及び２ビットは、下記で説明の便宜上定義されたもので、これが多様に適用可能であることは自明であろう。 
【００５６】
ＨＥＴ_ＮＢＲ_ＩＮＦＯフィールドに使用される４ビットは、次のような構成を有する。
[０]ビット：[０]ビットは、周辺基地局の中に無線ＬＡＮアクセスポイント(ＷＬＡＮ  ＡＰ）が位置するか否かを示す。すなわち、移動加入者端末機が、該当セルの内で広帯域無線接続システム以外にローミング或いはハンドオフなどの連動が可能な無線ＬＡＮアクセスポイントが存在するか否かを示す。このとき、[０]ビットの値が‘０’(ＨＥＴ_ＮＢＲ_ＩＮＦＯ[０]＝０)である場合に、該当セル領域内に移動加入者端末機が接続可能な無線ＬＡＮアクセスポイントが存在することを示す。[０]ビットの値が‘１’(ＨＥＴ_ＮＢＲ_ＩＮＦＯ[０]＝１)である場合に、該当セル領域内に無線ＬＡＮアクセスポイントが存在しないことを示す。
【００５７】
[１]ビット： [１]ビットは、周辺基地局の中に第３世代移動通信基地局の存在有無を示す。すなわち、移動加入者端末機が該当セル内で広帯域無線接続システムと通信中にローミング或いはハンドオフが可能な第３世代移動通信基地局(セルラー網）が存在するか否かを示す。このとき、[１]ビットの値が‘０’(ＨＥＴ_ＮＢＲ_ＩＮＦＯ[１]＝０)である場合に、該当セル領域内で連動可能な第３世代移動通信基地局が存在することを示し、[１]ビットの値が‘１’(ＨＥＴ_ＮＢＲ_ＩＮＦＯ[１]＝１)である場合に、該当セル領域内には第３世代移動通信基地局が存在しないことを示す。
【００５８】
[２]ビット、[３]ビット：[２]ビット及び[３]ビットは今後追加で機能拡張のために使用可能に予約された予約フィールドとして使用する。
【００５９】
上記のように、本発明で提案したセル領域内に位置した異種ネットワークの存在有無を示すＨＥＴ_ＮＢＲ_ＩＮＦＯフィールドはその必要に応じてＭＯＢ_ＮＢＲ_ＡＤＶメッセージに含まれたり、或いは含まれない。 
【００６０】
また、本発明では異種ネットワークがＷＬＡＮ又は第３世代移動通信、例えば、セルラーネットワークの場合を例に挙げ、このような異種ネットワークは一つ又はそれ以上が含まれることができる。したがって、本発明で提案するＭＯＢ_ＮＢＲ_ＡＤＶメッセージには、上記した各異種ネットワークの中で移動加入者端末機が接続可能な基地局の情報を知らせるための識別子、すなわち、該当システムにおける認証又は暗号化のための所定の識別子を含むことができる。
【００６１】
このような機能のために、本発明のＭＯＢ_ＮＢＲ_ＡＤＶメッセージは、図５Ａに示したように、ＷＬＡＮシステムと関連してＥＳＳ(Ｅｘｔｅｎｄｅｄ  Ｓｅｒｖｉｃｅ  Ｓｅｔ)ＩＤフィールドを含み、第３世代移動通信、例えば、セルラー網と関連してＢＳ-ＩＤフィールドを含む。すなわち、移動加入者端末機は、ＥＳＳ  ＩＤを通じて複数個の無線ＬＡＮアクセスポイントの中で、接続可能な該当無線ＬＡＮアクセスポイントを識別し、ＢＳ-ＩＤを通じて複数個の３Ｇ基地局の中で自機がサービスを受信可能である。例えば、ローミング可能な該当基地局を識別可能になる。ＥＳＳ  ＩＤ又はＢＳ-ＩＤは、異種ネットワーク、例えば、ＷＬＡＮシステムとセルラー網で認証及び暗号化機能と共に保安のためのフィールドとして、例えば、移動加入者端末機と無線ＬＡＮアクセスポイント又は第３世代移動通信基地局との間の認証などのために使用される。
【００６２】
図６は、本発明による広帯域無線接続通信システムで、サービング基地局が遂行するＭＯＢ_ＮＢＲ_ＡＤＶメッセージの構成過程を示すフローチャートである。
【００６３】
図６を参照すると、まず、ステップＳ６０１で、サービング基地局は、自機と隣接した周辺基地局の情報を収集する。ステップＳ６０３で、サービング基地局は、収集された周辺基地局の情報を用いてＭＯＢ-ＮＢＲ_ＡＤＶメッセージの構成を始める。このとき、上記のように本発明で提案した異種基地局情報フィールドを含めるか否かは基地局で判断する。 したがって、サービング基地局は、後述するステップＳ６０７のように異種基地局情報フィールドを含め、或いは、後述するステップＳ６２３のように異種基地局情報フィールドを含めないで残りのＭＯＢ-ＮＢＲ_ＡＤＶメッセージが構成できる。 
【００６４】
すなわち、ステップＳ６０３で、サービング基地局は、ＭＯＢ-ＮＢＲ_ＡＤＶメッセージの構成時に、まず、ステップＳ６０５で異種基地局情報をＭＯＢ-ＮＢＲ_ＡＤＶメッセージに含めるか否かを決定する。その結果、ＭＯＢ-ＮＢＲ_ＡＤＶメッセージに異種基地局情報を含めない場合には、ステップＳ６２３に進む。ステップＳ６２３で、サービング基地局は、異種基地局情報を除いた一般的な基地局情報のみを含んでＭＯＢ-ＮＢＲ_ＡＤＶメッセージを構成する。一方、ＭＯＢ-ＮＢＲ_ＡＤＶメッセージに異種基地局情報を含める場合に、サービング基地局は、管理するセル内にローミング又はハンドオフ可能な異種ネットワーク、例えば、無線ＬＡＮアクセスポイント又はセルラーネットワークなどの存在有無を確認する。その例として、ステップＳ６０７又はステップＳ６１５のような手順を区分して遂行する。しかしながら、これは本発明の実施形態として本発明がこれに限定されることではない。すなわち、本発明によるサービング基地局は、異種ネットワークの存在有無を確認し、その確認された異種ネットワークのシステム情報をシステム設定により予め定められた値などを通じて識別することで獲得するように実現する。それによって、ステップＳ６０７及びステップＳ６１５を一つのステップで実現可能であることはもちろんである。
【００６５】
ステップＳ６０７で、サービング基地局は、異種基地局情報を含める場合に、サービング基地局自体が管理するセル内にローミング又はハンドオフ可能な異種ネットワーク、例えば、無線ＬＡＮアクセスポイントの存在有無を確認する。ステップＳ６０７の確認の結果、セル内にローミングやハンドオフが可能な無線ＬＡＮアクセスポイントが存在する場合に、ステップＳ６０９に進む。ステップＳ６０９で、サービング基地局は、ＨＥＴ_ＮＢＲ_ＩＮＦＯ[０]ビットを‘０’にセッティングし、ステップＳ６１３に進む。ステップＳ６１３で、サービング基地局は、接続可能な無線ＬＡＮアクセスポイントのＥＳＳ  ＩＤをＭＯＢ-ＮＢＲ_ＡＤＶメッセージ内に挿入した後に、ステップＳ６１５に進む。一方、ステップＳ６０７の確認結果、セル内にローミングやハンドオフ可能な無線ＬＡＮアクセスポイントが存在しない場合は、ステップＳ６１１に進む。ステップＳ６１１で、サービング基地局は、ＨＥＴ_ＮＢＲ_ＩＮＦＯ[０]ビットを‘１’にセッティングし、ステップＳ６１５に進む。
【００６６】
ステップＳ６１５で、サービング基地局は、異種基地局情報を含める場合に、サービング基地局自体が管理するセル内にローミング又はハンドオフが可能な異種ネットワーク、例えば、３Ｇ基地局が存在するか否かを確認する。ステップＳ６１５の確認結果、該当セル内にローミング又はハンドオフが可能な隣接した３Ｇ基地局が存在する場合に、ステップＳ６１７に進む。ステップＳ６１７で、サービング基地局は、ＨＥＴ_ＮＢＲ_ＩＮＦＯ[１]ビットを‘０’にセッティングし、ステップＳ６２１に進む。ステップＳ６２１で、連動可能な３Ｇ基地局の基地局識別子(ＢＳ-ＩＤ)をＭＯＢ-ＮＢＲ_ＡＤＶメッセージ内に挿入した後に、ステップＳ６２３に進む。ステップＳ６１５で、サービング基地局の該当セル地域内にローミング又はハンドオフが可能な隣接の３Ｇ基地局が存在しない場合に、ステップＳ６１９に進む。このステップＳ６１９で、サービング基地局は、ＨＥＴ_ＮＢＲ_ＩＮＦＯ[１]ビットを‘１’にセッティングし、ステップＳ６２３に進む。
【００６７】
ステップＳ６２３で、残りのＭＯＢ-ＮＢＲ_ＡＤＶメッセージを構成してＭＯＢ-ＮＢＲ_ＡＤＶメッセージの構成を完了する。
【００６８】
以下に、上記のような本発明で提案したＨＥＴ_ＮＢＲ_ＩＮＦＯフィールドを含むＭＯＢ-ＮＢＲ_ＡＤＶメッセージを移動加入者端末機が受信した場合に、移動加入者端末機がこれを用いて通信する方法について説明する。 
【００６９】
図７は、本発明の実施形態による異種ネットワークが共存する通信システムで移動加入者端末機が通信する過程を示す図である。特に、図７は、移動加入者端末機が自体内に備えられた広帯域無線接続通信装置を用いて広帯域無線接続基地局と通信する過程を示すものである。
【００７０】
また、図７では、図４と同様に移動加入者端末機７０２は、無線ＬＡＮ接続装置７１０と広帯域無線接続装置７２０のような他の種類の異種無線装置を同時に含むデュアルモード支援移動加入者端末機であると仮定する。また、図７では、移動加入者端末機７０２が優先的に移動加入者端末機７０２自体内に備えられた広帯域無線接続装置７２０を用いて広帯域無線接続基地局７３０と通信中である環境を考慮する。
【００７１】
図７を参照すると、移動加入者端末機７０２は、本発明で提案したＨＥＴ_ＮＢＲ_ＩＮＦＯ情報を含むＭＯＢ_ＮＢＲ_ＡＤＶメッセージを参照番号７３２，７３４，７３６のように放送する広帯域無線接続基地局７３０に接続されている。また、移動加入者端末機７０２も上記した図４の場合と同様に時点７１２で無線ＬＡＮ接続装置７１０を検索するための動作を遂行する。 
【００７２】
このとき、本発明では、移動加入者端末機７０２が広帯域無線接続通信を通じて広帯域無線接続基地局７３０からＭＯＢ-ＮＢＲ_ＡＤＶメッセージを受信するときに、広帯域無線接続基地局７３０以外の他の異種ネットワークに対する情報が共に提供される。例えば、本発明による移動加入者端末機７０２は、ＭＯＢ-ＮＢＲ_ＡＤＶメッセージ内のＨＥＴ_ＮＢＲ_ＩＮＦＯフィールドの[０]ビットがセッティングされた内容を受信する。したがって、移動加入者端末機７０２は、広帯域無線接続基地局７３０が放送するＭＯＢ_ＮＢＲ_ＡＤＶメッセージを通じて該当広帯域無線接続基地局７３０内に接続可能な異種ネットワーク、例えば、無線ＬＡＮアクセスポイントの存在有無をわかるようになる。 
【００７３】
例えば、時点７２４で、移動加入者端末機７０２がＨＥＴ_ＮＢＲ_ＩＮＦＯフィールドの[０]ビットが‘１’に設定されたＭＯＢ_ＮＢＲ_ＡＤＶメッセージを受信すると、移動加入者端末機７０２は、広帯域無線接続基地局７３０内に接続可能な無線ＬＡＮアクセスポイントが存在しないことを認知し、該当時点で無線ＬＡＮ接続装置７１０の電源をオフ(ＯＦＦ)とし、これ以上周辺の無線ＬＡＮ接続装置が存在するか否かを検索しないようになる。 
【００７４】
一方、時点７２４で、移動加入者端末機７０２がＨＥＴ_ＮＢＲ_ＩＮＦＯフィールドの[０]ビットが‘０’に設定されたＭＯＢ_ＮＢＲ_ＡＤＶメッセージを受信すると、移動加入者端末機７０２は、広帯域無線接続基地局７３０内に接続可能な無線ＬＡＮアクセスポイントが存在することを認知し、ＭＯＢ_ＮＢＲ_ＡＤＶメッセージに含まれたＥＳＳ  ＩＤを通じて該当無線ＬＡＮアクセスポイントと接続設定をすぐに遂行するようになる。
【００７５】
図７では、異種ネットワークが無線ＬＡＮアクセスポイントである場合を仮定して説明する。しかしながら、本発明がこれに限定されることではないため、上記した図６のように３Ｇ移動通信システムを始めとして多様なシステムにも適用可能であることはもちろんである。
【００７６】
これは、広帯域無線接続基地局７３０が位置したセル領域内に支援可能な無線ＬＡＮアクセスポイントが存在するか否かを、図５Ａ〜図５Ｃを通じて提案したように、ＨＥＴ_ＮＢＲ_ＩＮＦＯフィールドをＭＯＢ_ＮＢＲ_ＡＤＶメッセージに構成し、移動加入者端末機７０２に提供することによって、移動加入者端末機７０２は不必要な動作遂行による電力消費を節約することができる。
【００７７】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００７８】
【図１】一般的なＩＥＥＥ８０２.１６ｅ方式の通信システムの構成を概略的に示す図である。
【図２Ａ】一般的なＭＯＢ_ＮＢＲ_ＡＤＶメッセージ構造を示す図である。
【図２Ｂ】一般的なＭＯＢ_ＮＢＲ_ＡＤＶメッセージ構造を示す図である。
【図３】一般的な広帯域無線接続通信システムと異種ネットワークが共存するネットワーク構成を概略的に示す図である。
【図４】一般的な他の異種ネットワークが共存する通信システムで移動加入者端末機が通信する過程を示す図である。
【図５Ａ】本発明による広帯域無線接続通信システムで提案するＭＯＢ_ＮＢＲ_ＡＤＶメッセージ構造を示す図である。
【図５Ｂ】本発明による広帯域無線接続通信システムで提案するＭＯＢ_ＮＢＲ_ＡＤＶメッセージ構造を示す図である。
【図５Ｃ】本発明による広帯域無線接続通信システムで提案するＭＯＢ_ＮＢＲ_ＡＤＶメッセージ構造を示す図である。
【図６】本発明の実施形態によるＭＯＢ_ＮＢＲ-ＡＤＶメッセージ内に異種周辺基地局情報フィールドを設定する過程を示すフローチャートである。
【図７】本発明による異種ネットワークが共存する通信システムで移動加入者端末機が通信する過程を示す図である。
【符号の説明】
【００７９】
１００  第１のセル
１５０  第２のセル
１７０  第３のセル
１８０  第４のセル
１１０，１４０，１７２，１８２  基地局
１１１，１１３，１３０，１５１，１５３，１７４，１７６，１８４  移動加入者端末機
７０２  移動加入者端末機
７１０  無線ＬＡＮ接続装置
７２０  広帯域無線接続装置
７３０  広帯域無線接続基地局
【図１】
2006135991.tif 000003
【図２Ａ】
2006135991.tif 000004
【図２Ｂ】
2006135991.tif 000005
【図３】
2006135991.tif 000006
【図４】
2006135991.tif 000007
【図５Ａ】
2006135991.tif 000008
【図５Ｂ】
2006135991.tif 000009
【図５Ｃ】
2006135991.tif 000010
【図６】
2006135991.tif 000011
【図７】
2006135991.tif 000012